(57)【特許請求の範囲】
【請求項１】
ピストン３が設けられたシリンダ２と、シリンダ２の両端部と電磁弁７、１２を介して接続された流入口８と、シリンダ２の両端部と電磁弁９、１３を介して接続された流出口１０と、シリンダ２の端部にピストン３が移動したことを検知する検知器２０、２１と、流量を表示する表示器２３と、各電磁弁７、９、１２、１３及び検知器２０、２１に接続された制御装置２２より構成され、
シリンダ２内を摺動するピストン３にはピストン杆１４が設けられ、シリンダ２の後端には、ピストン杆１４の軸受１７が設けられ、ピストン杆１４には溝１８が切られ、軸受１７の後端の室１９とシリンダ２内を液が自由に移動できるようになっており、
前記制御装置２２は、検知器２０の検知信号を受けて電磁弁７、１３を閉じ、電磁弁９、１２を開き、検知器２１の検知信号を受けて電磁弁９、１２を閉じ、電磁弁７、１３を開き、検知器２０、２１の検知信号より流量を演算し、演算した流量を表示器２３に表示することを特徴とした流量計。
【発明の詳細な説明】
【０００１】
【発明の属する技術分野】
本発明は、液体用の流量計で、特に灯油燃焼機で燃焼される灯油などのように、比較的に少流量を計量する流量計に関する。
【０００２】
【従来の技術】
灯油燃焼機で燃焼される灯油を入れたタンクは、灯油燃焼機より高所に設けられ、灯油を水頭圧で灯油燃焼機に送っている。そのために灯油を送る圧力は低く、圧力損失が大きい流量計は使用できない。また、比較的に少流量であり、あまり大きな流量計は経済的でない。
【０００３】
【発明が解決しようとする課題】
そこで本発明の目的は、前記従来例の不都合を解消し、圧力損失が少なく、少流量の計量に適した流量計を提供することにある。
【０００４】
【課題を解決するための手段】
前記目的を達成するため、本発明の流量計は、ピストン３が設けられたシリンダ２と、シリンダ２の両端部と電磁弁７、１２を介して接続された流入口８と、シリンダ２の両端部と電磁弁９、１３を介して接続された流出口１０と、シリンダ２の端部にピストン３が移動したことを検知する検知器２０、２１と、流量を表示する表示器２３と、各電磁弁７、９、１２、１３及び検知器２０、２１に接続された制御装置２２より構成され、シリンダ２内を摺動するピストン３にはピストン杆１４が設けられ、シリンダ２の後端には、ピストン杆１４の軸受１７が設けられ、ピストン杆１４には溝１８が切られ、軸受１７の後端の室１９とシリンダ２内を液が自由に移動できるようになっており、前記制御装置２２は、検知器２０の検知信号を受けて電磁弁７、１３を閉じ、電磁弁９、１２を開き、検知器２１の検知信号を受けて電磁弁９、１２を閉じ、電磁弁７、１３を開き、検知器２０、２１の検知信号より流量を演算し、演算した流量を表示器２３に表示することを要旨とするものである。
【０００５】
本発明によれば、流量計の流路を電磁弁で切り替えるようにしたので、圧力損失が少ない流量計となる。また、一個のシリンダで構成したので、少流量の計量に適した流量計となる。
【０００６】
そして、前記ピストン３にはピストン杆１４が設けられ、ピストン杆１４は軸受１７されているので、ピストンの重さは軸受で支持され、ピストンはシリンダとの水密を保つだけでよくなり、圧力損失が少ない流量計となる。
【０００７】
【発明の実施の形態】
以下、本発明の実施の形態を説明する。図１に示すように、流量計１の本体は、円筒状のシリンダ２と、シリンダ２内を摺動するピストン３と、シリンダ２の両端を閉じる前蓋４及び後蓋５で構成されている。
【０００８】
シリンダ２の先端部に接続された管路６は電磁弁７を介して流入管８に接続され、電磁弁９を介して流出管１０に接続されている。また、シリンダ２の後端部に接続された管路１１は電磁弁１２を介して流入管８に接続され、電磁弁１３を介して流出管１０に接続されている。
【０００９】
シリンダ２内を摺動するピストン３にはピストン杆１４が設けられ、ピストン杆１４の両端には磁石１５、１６が設けられている。シリンダ２の後端を閉じる後蓋５には、ピストン杆１４の軸受１７が設けられ、ピストン杆１４には溝１８が切られ、軸受１７の後端の室１９とシリンダ２内を液が自由に移動できるようになっている。そして、軸受１７の後端には、ピストン杆１４の磁石１６を検知する検知器２０が設けられ、前蓋４には、ピストン杆１４に設けられている磁石１５を検知する検知器２１が設けられている。
【００１０】
そして、上述した各機器に接続された制御装置２２と、流量を表示する表示器２３が設けられている。この制御装置２２は、検知器２０、２１から検知信号を受けて流量を演算し、演算した流量を表示器２３へ表示し、電磁弁７、９、１２、１３へ開弁信号を出力するようになっている。
【００１１】
このように構成された流量計１の流入管８は、例えば灯油を入れたタンク２４に接続され、流出管１０は、例えば灯油燃焼機２５に接続されている。このタンク２４は灯油燃焼機２５より少し高所に設けられ、タンク２４内の灯油は水頭圧で灯油燃焼機２５へ送られるようになっている。なお、流量計１のシリンダ２の容量は、少量の流量を精度良く測れるように約５０ミリリットルである。
【００１２】
次に、図２のフロー図に基づいて動作を説明する。電磁弁７、１３が閉じ、電磁弁９、１２が開いている状態において、灯油燃焼機２５で灯油が燃やされ、ピストン３が図においてシリンダ２の左端まで移動し、検知器２１から磁石１５の検知信号が制御装置２２に入力すると（ＳＴ１）、制御装置２２は電磁弁９、１２へ出力していた開弁信号を消勢し、電磁弁７、１３へ開弁信号を出力し、ピストン３が移動してシリンダ２から流出した灯油の量を演算し、流量を表示器２３へ表示する（ＳＴ２）。そして、電磁弁９、１２は閉じ、電磁弁７、１３は開き、タンク２４内の灯油は、流入管８、電磁弁７、管路６を介してシリンダ２内に流入し、ピストン３を図において右側へ移動する。ピストン３の移動により、シリンダ２内の灯油は、管路１１、電磁弁１３、流出管１０を介して灯油燃焼機２５へ流れる。
【００１３】
ピストン３がシリンダ２の右端まで移動し、検知器２０から磁石１６の検知信号が制御装置２２に入力すると（ＳＴ３）、制御装置２２は電磁弁７、１３へ出力していた開弁信号を消勢し、電磁弁９、１２へ開弁信号を出力し、シリンダ２から流出した灯油の量を演算し、流量を流量計１の容量を加算して表示器２３へ表示する（ＳＴ４）。そして、電磁弁７、１３は閉じ、電磁弁９、１２は開き、タンク２４内の灯油は、流入管８、電磁弁１２、管路１１を介してシリンダ２内に流入し、ピストン３を左側へ移動する。ピストン３の移動により、シリンダ２内の灯油は、管路６、電磁弁９、流出管１０を介して灯油燃焼機２５へ流れる。
【００１４】
このような動作が連続しておこなわれ、灯油燃焼機２５で燃焼されるタンク２４内の灯油は、流量計１で計量される。
【００１５】
【発明の効果】
以上説明したように本発明の流量計は、ピストン３が設けられたシリンダ２と、シリンダ２の両端部と電磁弁７、１２を介して接続された流入口８と、シリンダ２の両端部と電磁弁９、１３を介して接続された流出口１０と、シリンダ２の端部にピストン３が移動したことを検知する検知器２０、２１と、流量を表示する表示器２３と、各電磁弁７、９、１２、１３及び検知器２０、２１に接続された制御装置２２より構成され、前記制御装置２２は、検知器２０の検知信号を受けて電磁弁７、１３を閉じ、電磁弁９、１２を開き、検知器２１の検知信号を受けて電磁弁９、１２を閉じ、電磁弁７、１３を開き、検知器２０、２１の検知信号より流量を演算し、演算した流量を表示器２３に表示する。このように流量計の流路を電磁弁で切り替えるようにしたので、圧力損失が少ない流量計となる。
また、一個のシリンダで構成したので、少流量の計量に適した流量計となる。
【図面の簡単な説明】
【図１】  本発明の流量計の断面図である。
【図２】  本発明の流量計の制御装置のフロー図である。
【符号の説明】
１  流量計
２  シリンダ
３  ピストン
４  前蓋
５  後蓋
６、１１  管路
７、９、１２、１３  電磁弁
８  流入路
１０  流出路
１４  ピストン杆
１５、１６  磁石
１７  軸受
１８  溝
１９  室
２０、２１  検知器
２２  制御装置
２３  表示器
２４  タンク
２５  灯油燃焼機
【図１】
0003796946.tif 000002
【図２】
0003796946.tif 000003